(57)【要約】【課題】ナースコール子機がベッドや患者の手から滑り落ちにくくなるようにする。【解決手段】ナースコール子機１０の筐体を、第１の筐体１２、第２の筐体１３および滑り止め部材１４で構成し、第１の筐体１２に操作部１５を設け、第２の筐体１３に摩擦係数の高いエラストマー素材等を用いた裏面滑り止め１４ａ，１４ｂを接合し、また、側面滑り止め１４ｆを筐体の外面に現れるようにすることにより、第２の筐体１３がベッドの表面と接するようにベッド上に置かれたナースコール子機１０が、ベッドの表面と裏面滑り止め１４ａ，１４ｂとの摩擦でベッドから滑り落ちないようにするとともに、患者がナースコール子機１０を持ったときに側面滑り止め１４ｆで手から滑り落ちにくくなるようにする。【選択図】        図１
2008043579.tif 000002
【特許請求の範囲】
【請求項１】
患者が呼出操作をするためのナースコール子機であって、該ナースコール子機の筐体の少なくとも一の面に滑り止め部材を設けたことを特徴とするナースコール子機。
【請求項２】
上記ナースコール子機の筐体の側面および裏面に上記滑り止め部材を設けたことを特徴とする請求項１に記載のナースコール子機。
【請求項３】
上記側面に設けた滑り止め部材および上記裏面に設けた滑り止め部材を一体成型としたことを特徴とする請求項２に記載のナースコール子機。
【請求項４】
上記滑り止め部材は、ナースコール子機を吊り下げるための吊り下げ部を備え、上記側面に設けた滑り止め部材および上記裏面に設けた滑り止め部材と、上記吊り下げ部とを一体成型としたことを特徴とする請求項２に記載のナースコール子機。
【請求項５】
上記側面に設けた滑り止め部材は、上記第２の筐体のエッジ形状に合わせて環状に形成し、上記側面に設けた滑り止め部材と上記裏面に設けた滑り止め部材とを側面から見た形状が略Ｕ字状となるように一体成型して、上記第２の筐体の一部を上記滑り止め部材の略Ｕ字状の部分で挟み込むようにしたことを特徴とする請求項２に記載のナースコール子機。
【請求項６】
上記側面に設けた滑り止め部材に溝を設け、上記第１の筐体および上記第２の筐体のエッジ部分を上記溝に嵌めて上記筐体を構成するとともに、上記側面に設けた滑り止め部材が外面に現れるように構成したことを特徴とする請求項５に記載のナースコール子機。
【請求項７】
上記第１の筐体および上記第２の筐体は対向する位置にねじ穴を備え、上記裏面に設けた滑り止め部材に、上記第２の筐体のねじ穴に挿入して上記裏面に設けた滑り止め部材を上記第２の筐体に係止する係止部を設けたことを特徴とする請求項２から請求項６のいずれか１項に記載のナースコール子機。
【請求項８】
上記第１の筐体および上記第２の筐体を白色とし、上記滑り止め部材をオレンジ色としたことを特徴とする請求項３から請求項７の何れか１項に記載のナースコール子機。
【発明の詳細な説明】
【技術分野】
【０００１】
本発明は、ナースコール子機に関し、特に、患者の手元に置いて操作することができるように成されたナースコール子機に用いて好適なものである。
【背景技術】
【０００２】
一般に、病院や介護施設などでは、ナースコールシステムが用いられている。ナースコールシステムは、病院の患者が看護師のサポートを必要とする際、または介護施設の被介護者が介護師のサポートを必要とする際に、患者や被介護者（以下、単に「患者」と言う）が呼出ボタン等を押下することによって看護師や介護師（以下、単に「看護師」と言う）を呼び出すことができるように成されたシステムである。
【０００３】
多くのナースコールシステムは、ベッドサイドやトイレ、浴室などに設置するナースコール子機と、ナースセンタに設置するナースコール親機と、病室や介護室等の各部屋の入口付近に設置する廊下灯と、通話やデータの送受信に関する制御を行う制御機とを備えて構成されている。最近では、看護師が携帯するＰＨＳ（Personal Handy phone System）端末とＰＢＸ（Private Branch Exchange：電話交換機）とを組み合わせたナースコールシステムも提供されている。
【０００４】
ところで、患者は、必要なときにいつでも呼出操作することができるよう、ナースコール子機をベッド上に置いておくことがある。ナースコール子機の筐体は、表面が滑りやすい材質で形成されていることが多く、ベッド上に置いておくと、滑り落ちてしまうことがある。このような問題に対して、ナースコール子機に衝撃等が発生した場合でも、内部の基板を保護することができるようにした技術が提供されている（例えば、特許文献１参照）。
【特許文献１】特開２００６−１０９３４８号公報
【発明の開示】
【発明が解決しようとする課題】
【０００５】
上述の技術を用いれば、ナースコール子機の耐久性を高めることはできる。しかしながら、ナースコール子機がベッド上から滑り落ちてしまう問題は解決していないため、患者や看護師は、滑り落ちてしまったナースコール子機を拾わなければならず、手間が生じるという問題があった。また、患者がナースコール子機の筐体を持って操作する場合も滑りやすく、手で持ちにくいという問題もあった。
【０００６】
本発明は、このような問題を解決するために成されたものであり、ナースコール子機がベッドや患者の手から滑り落ちにくくなるようにすることを目的とする。
【課題を解決するための手段】
【０００７】
上記した課題を解決するために、本発明では、ナースコール子機の筐体の少なくとも一の面に滑り止め部材を設けるようにしている。例えば、ナースコール子機の筐体の側面および裏面に滑り止め部材を設けるようにしている。
【発明の効果】
【０００８】
上記のように構成した本発明によれば、ナースコール子機をベッド上に置くと、滑り止め部材がベッドの表面と接するため、ナースコール子機がベッド上から滑り落ちにくくなるようにすることができる。
また、患者がナースコール子機を手で持ったとき、側面の滑り止め部材と手とが接するため、ナースコール子機が患者の手から滑り落ちにくくなる。
【発明を実施するための最良の形態】
【０００９】
以下、本発明の一実施形態を図面に基づいて説明する。図１は、本実施形態によるナースコール子機１０の外観例を示す図であり、図１（ａ）がナースコール子機１０の正面図、図１（ｂ）がナースコール子機１０の側面図、図１（ｃ）がナースコール子機１０の背面図、図１（ｄ）がナースコール子機１０の上面図である。なお、ここでは病院に設置されるナースコール子機１０を例にとって説明するが、本実施形態のナースコール子機１０は、病院に設置されるものに限定されない。例えば、介護施設等に設置される場合にも適用可能である。
【００１０】
図１において、ナースコール子機１０は、例えば、患者のベッドサイドに設置された壁埋込形子機にケーブル１１を介して接続され、ベッド上に置いたり、吊り下げたりして使用される。ナースコール子機１０は、例えば、図１（ｂ）に示すように、第１の筐体１２、第２の筐体１３、および、後述する滑り止め部材１４を組み合わせて成る構成となっている。この第１の筐体１２、第２の筐体１３および滑り止め部材１４を組み合わせると、例えば、図１で示すように略直角柱の形状をした筐体となる。第１の筐体１２および第２の筐体１３は、例えば、プラスチック等の素材で形成されており、表面が滑らかに成型されている。
【００１１】
第１の筐体１２の一の面には、図１（ａ），（ｂ）で示すように、患者が呼出操作をするための操作部１５が設けられている。この操作部１５は透光性を有する部材、例えば、シリコンで円形状に作られている。ナースコール子機１０の筐体内部には、光を放射する発光体、例えば、ＬＥＤ（light-emitting diode）等が備えられており、操作部１５はこの光を透す。したがって、操作部１５は外から光って見えるようになっている。これにより、患者は夜間でもすぐにナースコール子機１０の操作部１５の位置がわかるようになっている。
【００１２】
なお、操作部１５は、全体が光るようにしてもよいし、一部が光るようにしてもよい。例えば、操作部１５の一部にインクを塗布し、インクを塗布していない部分が、リング状に光るように形成してもよい。ここで、操作部１５に対してインクを塗布する場所は、患者が操作するときに触れる側と反対側（筐体の内側に向く面）に塗布するのがより好ましい。患者が触れる側と反対側にインクを塗布すれば、長期間の使用によってインクが剥げてしまうことが防止できるからである。
【００１３】
図２は、第２の筐体１３の外側の構成例を示す図である。図３は、第１の筐体１２の内部の構成例を示す図である。図２に示すように、第２の筐体１３の外側の両端部には、段付き部１３ａ，１３ｂが段差を設けて形成されている。この段付き部１３ａ，１３ｂは、後述するように滑り止め部材１４の一部と接合する。この段付き部１３ａ，１３ｂの形状は、例えば一般的なかまぼこの切断面に類似している。
【００１４】
第２の筐体１３の一方の段付き部１３ａには、略円柱状の２つのねじ穴１３ｃ，１３ｄが設けられている。また、他方の段付き部１３ｂには、略円柱状の１つのねじ穴１３ｅが設けられている。第１の筐体１２の内部には、第２の筐体１３の段付き部１３ａ，１３ｂに設けられたねじ穴１３ｃ〜１３ｅと対向する位置に略円柱状のねじ穴１２ａ〜１２ｃが設けられており、このねじ穴１２ａ〜１２ｃとねじ穴１３ｃ〜１３ｅとにねじを嵌めて第１の筐体１２および第２の筐体１３を嵌合している。
【００１５】
図４および図５は、滑り止め部材１４の構成例を示す図である。図６は、滑り止め部材１４を斜めから見た外観例を示す図である。図４および図５において、滑り止め部材１４には、例えば、エラストマー素材等の摩擦係数の高い柔軟な素材を用いる。この滑り止め部材１４は、ナースコール子機１０の筐体がベッド、もしくは患者の手から滑り落ちることを防止する役割をしている。この滑り止め部材１４には、裏面滑り止め１４ａ，１４ｂが形成されている。この裏面滑り止め１４ａ，１４ｂは、第２の筐体１３の段付き部１３ａ，１３ｂに接合することができるよう、例えば、略かまぼこ型に形成する。
【００１６】
また、図５に示すように、裏面滑り止め１４ａ，１４ｂの裏側（第２の筐体１３と接する側）には、係止部１４ｃ〜１４ｅが形成されている。この係止部１４ｃ〜１４ｅは、略円柱状に突起した形に形成されており、ねじ穴１３ｃ〜１３ｅに挿入することができるようになっている。ねじ穴１３ｃ〜１３ｅに係止部１４ｃ〜１４ｅを挿入することで、裏面滑り止め１４ａ，１４ｂが段付き部１３ａ，１３ｂに接合し、第２の筐体１３に係止するようになっている。また、係止部１４ｃ〜１４ｅでねじ穴１３ｃ〜１３ｅをふさぐことで、ねじ穴１３ｃ〜１３ｅが隠れ、ナースコール子機１０の見栄えがよくなる。また、図４に示すように、裏面滑り止め１４ａ，１４ｂの表側には、凹凸が形成されている。この凹凸がベッドのシーツに引っかかることで、ナースコール子機１０がベッドからより滑り落ちにくくなる。
【００１７】
また、滑り止め部材１４には、第１の筐体１２および第２の筐体１３のエッジ形状に合わせて環状に形成された側面滑り止め１４ｆが設けられている。図６で示すように、この側面滑り止め１４ｆの上部と裏面滑り止め１４ａとは、側面から見た形状が略Ｕ字状となるように一体成型されている。また、側面滑り止め１４ｆの下部と裏面滑り止め１４ｂとは、側面から見た形状が略Ｕ字状となるように一体成型されている。そして、側面滑り止め１４ｆと裏面滑り止め１４ａ，１４ｂとは、第２の筐体１３の各端部を滑り止め部材１４の略Ｕ字状の部分で挟み込むように成型されている。
【００１８】
図４に示すように、側面滑り止め１４ｆが第２の筐体１３と接する面には、溝１４ｇが形成されていて、そこに第２の筐体１３のエッジ部分が嵌まるようになっている。また、図５に示すように、側面滑り止め１４ｆの溝１４ｇと反対側にも、溝１４ｈが形成されており、そこに第１の筐体１２のエッジ部分が嵌まるようになっている。このように、側面滑り止め１４ｆの溝１４ｇ，１４ｈに第１の筐体１２および第２の筐体１３のエッジ部分を嵌めると、側面滑り止め１４ｆは筐体の外面に現れる状態となり、図１（ｂ）で示すように、第１の筐体１２と第２の筐体１３とで側面滑り止め１４ｆを挟んだ状態に見える。
【００１９】
第１の筐体１２および第２の筐体１３は、滑りやすい材質で滑らかに成型されているため、これだけでは滑り易くナースコール子機１０が手で持ちにくい。しかし、筐体の側面に側面滑り止め１４ｆを配置することで、患者が手で持つ際にも滑りにくくなる。また、第１の筐体１２および第２の筐体１３を側面滑り止め１４ｆに嵌めることで、筐体内部が密閉されることになる。これにより、筐体内部に設けた発光体の光が操作部１５以外の場所から外部に漏れにくくなるという効果が得られる。
【００２０】
また、図４および図５で示すように、滑り止め部材１４には、環状の吊り下げ部１４ｉが形成されている。吊り下げ部１４ｉは滑り止め部材１４の一部であり、素材の摩擦係数が高く、例えば、フックに掛けるときでもナースコール子機１０がフックから滑り落ちにくくなる。吊り下げ部１４ｉと対極する位置には、ケーブル１１を通すためのケーブル孔１４ｊが形成されている。このケーブル孔１４ｊには、ケーブル孔１４ｊの円周に沿ってケーブル保護部１４ｋが円錐状に隆起して形成されている。
【００２１】
ここまで説明した滑り止め部材１４において、裏面滑り止め１４ａ，１４ｂ、係止部１４ｃ〜１４ｅ、側面滑り止め１４ｆ、吊り下げ部１４ｉおよびケーブル保護部１４ｋは一体成型になっている。一体成型とすることで、滑り止め部材１４を第２の筐体１３へ１度に取り付けることができ、筐体を組み立てることが容易となる。
【００２２】
また、滑り止め部材１４は、視認性のよい色、例えばオレンジ色とすることが好ましい。視力の弱い患者がナースコール子機１０を見つけやすくなるからである。また、第１の筐体１２および第２の筐体１３の色を白色とすることで、より滑り止め部材１４のオレンジ色が引き立ち、目立つようになる。また、第１の筐体１２および第２の筐体１３と滑り止め部材１４とを互いに補色の関係としてもよい。このようにすれば、ナースコール子機１０が目立つようになり、患者はナースコール子機１０を見つけやすくなる。
【００２３】
図７は、ナースコール子機１０を吊り下げるフックの構成例を示す図であり、図７（ａ）は正面図、図７（ｂ）は側面図である。図７において、２０はパネルであり、フック２０ａが設けられている。このフック２０ａにナースコール子機１０の吊り下げ部１４ｉを通して、ナースコール子機１０を掛けておくことができる。パネル２０は患者のベッド近傍の壁面に備え付けられており、患者の手がナースコール子機１０にすぐ届くようになっている。また、フック２０ａを、例えば滑り止め部材１４と同素材の摩擦係数の高い素材で形成する。これにより、フック２０ａから吊り下げ部１４ｉがより外れにくくなり、ナースコール子機１０が落下してしまうことを防止することができる。
【００２４】
パネル２０のフック２０ａの上部には、看護師等の病院スタッフ専用のスタッフ専用ボタン２０ｂが設けられている。このスタッフ専用ボタン２０ｂは、患者の緊急時などにスタッフが呼出のために使用するボタンである。このため、患者が誤ってスタッフ専用ボタン２０ｂを押してしまわないように、スタッフ専用ボタン２０ｂおよびフック２０ａのすぐ横の両側にはボタンガード２０ｃが設けられている。
【００２５】
ボタンガード２０ｃは、フック２０ａの端部２０ｄのところで最も高い中高の弧を描くような形状をしている。このような構成にすることで、フック２０ａとボタンガード２０ｃとの隙間が狭くなるため、ナースコール子機１０をフック２０ａに掛けたときに吊り下げ部１４ｉが移動しにくくなり、フック２０ａから外れにくくなる。ボタンガード２０ｃの長さは、フック２０ａとスタッフ専用ボタン２０ｂとが位置する長さよりも長く、高さは、フック２０ａの高さよりは低いが、パネル２０を側面から見たときに、スタッフ専用ボタン２０ｂが隠れるような高さに構成されている。
【００２６】
ボタンガード２０ｃを設けることで、例えば、患者がナースコール子機１０をフック２０ａから取ろうとしたときに、誤ってフック２０ａよりも上に患者の手が伸びてしまっても、スタッフ専用ボタン２０ｂは側面側から押されにくくなる。また、スタッフ専用ボタン２０ｂのすぐ横の両側にボタンガード２０ｃがあるので、正面側から手が伸びてしまっても、スタッフ専用ボタン２０ｂに手が届く前にボタンガード２０ｃに手がぶつかるので、スタッフ専用ボタン２０ｂが押されにくくなるという効果も得られる。
【００２７】
なお、ここではボタンガード２０ｃを中高の弧を描くような形状として形成したが、スタッフ専用ボタン２０ｂの両側が最も高くなるように形成してもよいし、スタッフ専用ボタン２０ｂ側の端からフック２０ａ側の端まで同じ高さに形成してもよい。このようにすれば、スタッフ専用ボタン２０ｂがより側面から押されにくくなる。また、ボタンガード２０ｃを、スタッフ専用ボタン２０ｂの両側にのみ設けるようにしてもよい。これによっても、スタッフ専用ボタン２０ｂが側面から押されにくくなるという効果を得られる。
【００２８】
次に、ナースコール子機１０の作用について説明する。患者は、必要なときにいつでも呼出操作をすることができるよう、ナースコール子機１０をベッド上に置く。このとき、患者は操作部１５が上向きとなるようにナースコール子機１０をベッドに置く。そうすると、第２の筐体１３とベッドの表面とが接するように置かれることとなる。第２の筐体１３の段付き部１３ａ，１３ｂには裏面滑り止め１４ａ，１４ｂが設けられているため、ベッドの表面と裏面滑り止め１４ａ，１４ｂとの摩擦で、ナースコール子機１０はベッドから滑り落ちにくくなる。
【００２９】
以上詳しく説明したように、本実施形態では、ナースコール子機１０の第２の筐体１３に裏面滑り止め１４ａ，１４ｂを設けるようにしたので、摩擦抵抗によりナースコール子機１０がベッドから滑り落ちにくくなる。また、裏面滑り止め１４ａ，１４ｂに凹凸を設けたので、よりベッドのシーツ等に引っかかりやすくなり、ナースコール子機１０がベッドから滑り落ちにくくなる。また、筐体の側面に側面滑り止め１４ｆを設け、側面滑り止め１４ｆが外面に現れる状態としたので、患者がナースコール子機１０を手で持ったときに滑りにくくなるという効果が得られる。
【００３０】
また、係止部１４ｃ〜１４ｅをねじ穴１３ｃ〜１３ｅへ挿入することで、接着剤等を用いなくとも滑り止め部材１４が第２の筐体１３に係止されるようになる。また、係止部１４ｃ〜１４ｅをねじ穴１３ｃ〜１３ｅへ挿入することで、ねじ穴１３ｃ〜１３ｅがふさがれ、ナースコール子機１０の見栄えがよくなる。さらに、滑り止め部材１４を視認性のよいオレンジ色としたので、患者はナースコール子機１０を見つけやすくなる。
【００３１】
また、吊り下げ部１４ｉが摩擦係数の高い素材で形成されているため、ナースコール子機１０がフック２０ａから滑り落ちにくくなるという効果が得られる。さらにまた、滑り止め部材１４において、裏面滑り止め１４ａ，１４ｂ、係止部１４ｃ〜１４ｅ、側面滑り止め１４ｆ、吊り下げ部１４ｉおよびケーブル保護部１４ｋを一体成型としたので、滑り止め部材１４を第２の筐体１３へ１度に取り付けることができ、筐体を組み立てることが容易となる。
【００３２】
また、操作部１５が夜間光るため、患者はナースコール子機１０を容易に見つけることができるようになるとともに、すぐに操作部１５の位置を把握することができるようになる。また、第１の筐体１２および第２の筐体１３を側面滑り止め１４ｆの溝１４ｇ，１４ｈに嵌めることで、筐体の密閉性が高まる。これにより、筐体内部に設けた発光体の光が操作部１５以外の場所から外部に漏れにくくなるという効果が得られる。
【００３３】
なお、上記実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【００３４】
例えば、フック２０ａにナースコール子機１０を吊り下げたときにナースコール子機１０の一部分でスタッフ専用ボタン２０ｂが隠れるように構成してもよい。例えば、吊り下げ部１４ｉに長方形状のガード部を設け、ナースコール子機１０をフック２０ａに掛けたときに、スタッフ専用ボタン２０ｂがガード部で隠れるように構成してもよい。これにより、患者が誤って側面からスタッフ専用ボタン２０ｂを押してしまうことだけでなく、正面側からスタッフ専用ボタン２０ｂを押してしまうことをもより効果的に防止できる。
【００３５】
また、上記実施形態では滑り止め部材１４のみをオレンジ色としたが、これに限られない。例えば、患者がケーブル１１を引っ張ってナースコール子機１０を手繰り寄せることも予想されるため、ケーブル１１も視認性のよいオレンジ色等にするのが好ましい。  
【００３６】
また、上記実施形態では、ナースコール子機１０の筐体において、操作部１５が設けられている面を表面とし、それと反対側の面を裏面としたときに、裏面（本実施形態では第２の筐体１３）に裏面滑り止め１４ａ，１４ｂを設ける例について説明したが、表面（本実施形態では第１の筐体１２）の上下端に、裏面に設けたようにして表面滑り止めを取り付けるようにしてもよい。これにより、ナースコール子機１０の表面をベッドと接するように置いてしまった場合でも、ナースコール子機１０がベッドから滑り落ちることを防止できる。なお、患者は操作しやすいように操作部１５が設けられている表面を上向きとしてベッドに置く場合が多いと考えられるため、好ましくは裏面滑り止め１４ａ，１４ｂを取り付ける。
【００３７】
さらにまた、上記実施形態では、ナースコール子機１０の筐体の形状を略直角柱として説明したが、これに限られるものではない。例えば、三角柱や三角錐等の多角形の柱状または錐状であってもよい。
【００３８】
また、上記実施形態では、滑り止め部材１４において、エラストマー素材等の摩擦係数の高い柔軟な素材を用いるとして説明したが、摩擦係数の高い素材であればよく、柔軟であることに限られない。例えば、目のあらい布を貼り付けて用いてもよい。
【００３９】
また、上記実施形態では、滑り止め部材１４において、裏面滑り止め１４ａ，１４ｂ、係止部１４ｃ〜１４ｅ、側面滑り止め１４ｆ、吊り下げ部１４ｉおよびケーブル保護部１４ｋを一体成型とする例について説明したが、一体成型でなくともよい。裏面滑り止め１４ａ，１４ｂ、係止部１４ｃ〜１４ｅ、側面滑り止め１４ｆ、吊り下げ部１４ｉおよびケーブル保護部１４ｋを別々に取り付けるように構成してもよいが、組み立ての容易さを考えると、一体成型のほうがより好ましい。
【００４０】
また、上記実施形態では、フック２０ａを、滑り止め部材１４と同素材の摩擦係数の高い素材で形成する例について説明したが、これに限られるものではなく、摩擦係数の高い素材であればよい。なお、エラストマー素材の例として、合成ゴム、合成樹脂エラストマ、ポリウレタン樹脂エラストマ、シリコーン樹脂エラストマ等が挙げられる。
【００４１】
また、上記実施形態においては、ナースコール子機１０の筐体を第１の筐体１２、第２の筐体１３および滑り止め部材１４を組み合わせてなる旨説明したが、これら第１の筐体１２、第２の筐体１３および滑り止め部材１４を一体成型としてもよい。
【図面の簡単な説明】
【００４２】
【図１】本実施形態によるナースコール子機の外観例を示す図である。
【図２】第２の筐体の外側の構成例を示す図である。
【図３】第１の筐体の内部の構成例を示す図である。
【図４】滑り止め部材の構成例を示す図である。
【図５】滑り止め部材の構成例を示す図である。
【図６】滑り止め部材を斜めから見た外観例を示す図である。
【図７】ナースコール子機を吊り下げるフックの構成例を示す図である。
【符号の説明】
【００４３】
１０  ナースコール子機
１１  ケーブル
１２  第１の筐体
１２ａ〜１２ｃ  ねじ穴
１３  第２の筐体
１３ａ，１３ｂ  段付き部
１３ｃ〜１３ｅ  ねじ穴
１４  滑り止め部材
１４ａ，１４ｂ  裏面滑り止め
１４ｃ〜１４ｅ  係止部
１４ｆ  側面滑り止め
１４ｇ，１４ｈ  溝
１４ｉ  吊り下げ部
１４ｊ  ケーブル孔
１４ｋ  ケーブル保護部
１５  操作部
２０  パネル
２０ａ  フック
２０ｂ  スタッフ専用ボタン
２０ｃ  ボタンガード
２０ｄ  端部
【図１】
2008043579.tif 000003
【図２】
2008043579.tif 000004
【図３】
2008043579.tif 000005
【図４】
2008043579.tif 000006
【図５】
2008043579.tif 000007
【図６】
2008043579.tif 000008
【図７】
2008043579.tif 000009